(57)【要約】【課題】  この発明は、セットトップボックスとモニターユニットとの組合せの自由度を高めることができるテレビジョン受像機を提供することを目的とする。【解決手段】  セットトップボックスは、テレビ放送受信回路、映像信号処理回路、音声信号処理回路、音声信号出力回路およびメインＣＰＵを含んでおり、モニターユニットは、モニター、モニターのドライバーおよびサブＣＰＵを含んでおり、セットトップボックス内のメインＣＰＵは、セットトップボックスがモニターユニットに接続された状態において、モニターユニット内のサブＣＰＵと通信を行って、モニターユニット内のモニターの仕様に関する情報を取得する手段、取得した上記情報に基づいて、モニターユニット内のモニターの仕様に応じた映像信号が生成されるように映像信号処理回路を制御する手段を備えている。【選択図】  図３
2005286403.tif 000002
【特許請求の範囲】
【請求項１】
セットトップボックスと、セットトップボックスが電気的に接続されるモニターユニットとからなり、セットトップボックスは、テレビ放送受信回路、映像信号処理回路、音声信号処理回路、音声信号出力回路およびメインＣＰＵを含んでおり、モニターユニットは、モニター、モニターのドライバーおよびサブＣＰＵを含んでおり、セットトップボックス内のメインＣＰＵは、セットトップボックスがモニターユニットに接続された状態において、モニターユニット内のサブＣＰＵと通信を行って、モニターユニット内のモニターの仕様に関する情報を取得する手段、取得した上記情報に基づいて、モニターユニット内のモニターの仕様に応じた映像信号が生成されるように映像信号処理回路を制御する手段を備えていることを特徴とするテレビジョン受像機。
【請求項２】
モニターユニット内のモニターの仕様に関する情報が、モニターの形式、モニターの解像度およびモニターサイズに関する情報であることを特徴とする請求項１に記載のテレビジョン受像機。
【請求項３】
セットトップボックスとモニターユニットとは、セットトップボックスに設けられたコネクタと、モニターユニットに設けられたコネクタとが着脱自在に結合されることによって、電気的に接続されることを特徴とする請求項１乃至２に記載のテレビジョン受像機。
【発明の詳細な説明】
【技術分野】
【０００１】
この発明は、テレビジョン受像機
【背景技術】
【０００２】
今後のカラーテレビジョン受像機では、デジタル放送に対応した機種が多くなり、その形態も４０８ｉ／ｐ、７２０ｉ／ｐ、１０８０ｉ／ｐなどのように走査線の違いもあり、ますますデジタル信号処理回路が複雑になる。一方、ディスプレイとしてはより大型／薄型化に有利なＰＤＰやＬＣＤなどのフラットパネルが主流になると言える。また、付加価値をつけるためハードディスクドライブ（ＨＤＤ）やＤＶＤレコーダー、或いは、通信機器が搭載された機種も増加すると予想される。
【０００３】
デジタル信号処理回路部、モニター部および付加価値部を一台のテレビジョン受像機に組み込むようにすると、デジタル信号処理回路部、モニター部および付加価値部の様々な組合せに対応した複数の機種のテレビジョン受像機をメーカーとして用意する必要がある。この場合、ユーザーは、限られた機種の中から１つの機種を選択することになる。このような一体型のテレビジョン受像機では、機能アップに対して融通性がない。
【０００４】
ところで、モニター部と、テレビ放送受信機（セットトップボックス）とが分離されたものもあるが、様々な種類のモニター部と様々な種類のテレビ放送受信機とを任意に組合せて使用できるまでには至っていない。
【発明の開示】
【発明が解決しようとする課題】
【０００５】
この発明は、テレビ放送を受信するためのセットトップボックスと、モニターユニットとから構成されるテレビジョン受像機において、セットトップボックスとモニターユニットとの組合せの自由度を高めることができるテレビジョン受像機を提供することを目的とする。
【０００６】
また、この発明は、テレビ放送を受信するためのセットトップボックスと、モニターユニットとから構成されるテレビジョン受像機において、セットトップボックスとモニターユニットとの組合せの自由度を高めることができるとともに、セットトップボックスとモニターユニットとの接続が容易となるテレビジョン受像機を提供することを目的とする。
【課題を解決するための手段】
【０００７】
請求項１に記載の発明は、セットトップボックスと、セットトップボックスが電気的に接続されるモニターユニットとからなり、セットトップボックスは、テレビ放送受信回路、映像信号処理回路、音声信号処理回路、音声信号出力回路およびメインＣＰＵを含んでおり、モニターユニットは、モニター、モニターのドライバーおよびサブＣＰＵを含んでおり、セットトップボックス内のメインＣＰＵは、セットトップボックスがモニターユニットに接続された状態において、モニターユニット内のサブＣＰＵと通信を行って、モニターユニット内のモニターの仕様に関する情報を取得する手段、取得した上記情報に基づいて、モニターユニット内のモニターの仕様に応じた映像信号が生成されるように映像信号処理回路を制御する手段を備えていることを特徴とする。
【０００８】
請求項２に記載の発明は、請求項１に記載の発明において、モニターユニット内のモニターの仕様に関する情報が、モニターの形式、モニターの解像度およびモニターサイズに関する情報であることを特徴とする。
【０００９】
請求項３に記載の発明は、請求項１乃至２に記載の発明において、セットトップボックスとモニターユニットとは、セットトップボックスに設けられたコネクタと、モニターユニットに設けられたコネクタとが着脱自在に結合されることによって、電気的に接続されることを特徴とする。
【発明の効果】
【００１０】
本発明によれば、セットトップボックスとモニターユニットとの組合せの自由度を高めることができるようになる。
【００１１】
また、この発明によれば、セットトップボックスとモニターユニットの組合せの自由度を高めることができるとともに、セットトップボックスとモニターユニットとの接続が容易となる。
【発明を実施するための最良の形態】
【００１２】
以下、図面を参照して、この発明の実施例について説明する。
【実施例１】
【００１３】
〔１〕テレビジョン受像機の外観についての説明
図１および図２は、テレビジョン受像機の外観を示している。
【００１４】
テレビジョン受像機は、テレビ放送受信機を構成するセットトップボックス（ＳＴＢ）１００と、ＳＴＢ１００が接続されるモニターユニット２００とから構成されている。
【００１５】
モニターユニット２００の下部前面にＳＴＢ１００を接続するためのコネクタ２０１が設けられている。ＳＴＢ１００の後面に、モニターユニット２００を接続するためのコネクタ１０１が設けられている。これらのコネクタ１０１，２０１は、互いに着脱自在に連結できるようになっており、両コネクタ１０１，２０１が連結されることにより、ＳＴＢ１００とモニターユニット２００とが電気的に接続される。
【００１６】
〔２〕テレビジョン受像機の構成についての説明
図３は、テレビジョン受像機の構成を示している。
【００１７】
ＳＴＢ１００は、テレビ放送受信回路２，４、映像信号処理回路６，７，８，９，１０、音声信号処理回路１２、音声信号出力回路１３およびメインＣＰＵ１１等を含んでいる。
【００１８】
モニターユニット２００は、フラットパネルディスプレイ（モニター）２４、そのドライバー（Ｈドライバ２２およびＶドライバ２３）、ドライバーコントロール部２１、サブＣＰＵ２０および電源部２５を備えている。
【００１９】
〔２−１〕ＳＴＢ１００の構成についての説明
地上波デジタル信号やＢＳデジタル信号は、アンテナ１によって受信され、デジタルユニット２によって復調された後、ＡＶ切替回路５に入力される。アナログの地上波は、アンテナ３によって受信され、チューナーＩＦ部４によってＶｉｄｅｏ信号に変換された後、ＡＶ切替回路５に入力される。外部入力端子１７から入力された外部入力信号は、直接ＡＶ切替回路５に入力される。
【００２０】
ＡＶ切替回路５から出力されたＶｉｄｅｏ信号は、Ｙ／Ｃ分離回路６によって輝度信号（Ｙ）とクロマ信号（Ｃ）に分離される。Ｙ／Ｃ分離回路６によって得られた輝度信号（Ｙ）とクロマ信号（Ｃ）は、Ｖｉｄｅｏデコーダ７に入力され、輝度信号（Ｙ）と色差信号（Ｃｂ，Ｃｒ）に変換される。Ｖｉｄｅｏデコーダ７によって得られた輝度信号（Ｙ）と色差信号（Ｃｂ，Ｃｒ）は、Ｉ／Ｐ変換回路８によってプログレッシブ変換が行われた後、ＳＣＡＮコンバータ９に送られる。ＳＣＡＮコンバータ９では、後述するようにモニターユニット２００からの情報（モニター２４の仕様（モニターの形式、モニターの解像度、モニターのサイズに関する情報））に基づいて、入力映像信号を走査変換することによって、モニターユニット２００内のモニター２４の仕様に応じた映像信号に変換する。      
【００２１】
ＳＣＡＮコンバータ９によって得られた映像信号は、イメージコントロール回路１０により各種映像調整がなされた後、Ｒ，Ｇ，Ｂのデジタル信号（例えば、各１０ｂｉｔ）として出力される。
【００２２】
一方、ＡＶ切替回路５から出力されたＡｕｄｉｏ信号は、Ａｕｄｉｏコントロール回路１２によって制御され、Ａｕｄｉｏアンプ回路１３によって増幅された後、スピーカー１４に送られる。
【００２３】
ＳＴＢ１００内の各回路は、メインＣＰＵ１１によって制御される。また、ＳＴＢ１００内には、サブ電源部１６が設けられている。サブ電源部１６には、モニターユニット２００内の電源部２５から電力が供給される。サブ電源部１６は、ＳＴＢ１００内の各回路に必要な電源を生成して、各回路に供給する。また、ＳＴＢ１００には、電源スイッチ１５が設けられており、この電源スイッチ１５が操作されることにより、ＳＴＢ１００およびモニターユニット２００からなるテレビジョン受像機の電源オンオフが制御される。
【００２４】
なお、ＳＴＢの機種としては、上述した回路の他に、図３に破線で示すように、ハードディスクやＤＶＤなどの付加価値ユニット３１を備えたものや、メモリカードや通信などの拡張機能ユニット３２を備えたものや、付加価値ユニット３１および拡張機能ユニット３２の両方を備えたもの等がある。
【００２５】
〔２−２〕モニターユニット２００の構成についての説明
ＳＴＢ１００内のイメージコントロール回路１０からのＲ，Ｇ，Ｂ信号は、ドライバーコントロール２１に入力される。ドライバーコントロール２１によって、Ｈドライバー２２およびＶドライバー２３が制御されることにより、フラットパネルディスプレイ２４に映像が表示される。
【００２６】
電源プラグ２６が家庭用の電源コンセントに差し込まれることにより、電源部２５で必要な電圧の電源が生成され、モニターユニット２００内の各回路に電源が供給されるとともに、ＳＴＢ１００内のサブ電源部１６に電源が供給される。
【００２７】
モニターユニット２００内の各回路は、メインＣＰＵ１１からの制御に基づいて、サブＣＰＵ２０によって制御される。
【００２８】
〔３〕ＳＴＢ１００およびモニターユニット２００との接続についての説明
上述したように、ＳＴＢ１００とモニターユニット２００とは、コネクタ１０１，２０１が連結されることにより、電気的に接続される。
【００２９】
この実施例では、コネクタ１０１とコネクタ２０１とが直接に連結されるようになっているが、コネクタ１０１とコネクタ２０１とを電線を介して接続するようにしてもよい。      
【００３０】
コネクタ１０１とコネクタ２０１とが連結されると、ＳＴＢ１００内のサブ電源部１６とモニターユニット２００内の電源部２５とが、コネクタ１０１，２０１および電源ラインＬ１１，Ｌ２１を介して互いに接続される。また、ＳＴＢ１００内のメインＣＰＵ１１とモニターユニット２００内のサブＣＰＵ２０とが、コネクタ１０１，２０１および制御ラインＬ１２，Ｌ２２を介して互いに接続される。また、ＳＴＢ１００内のイメージコントロール回路１０とモニターユニット２００内のドライバーコントロール２１とが、コネクタ１０１，２０１および信号ラインＬ１３，Ｌ２３を介して互いに接続される。
【００３１】
メインＣＰＵ１１とサブＣＰＵ２０との間で伝送される信号には、シリアルデータ＜ＳＤＡ＞、シリアルクロック＜ＳＣＬ＞、ステータス＜ＳＴＡＴＵＳ＞、アクノレッジ＜ＡＣＫ＞等がある。具体的には、ＳＴＢ１００内のメインＣＰＵ１１は、電源オン時に、モニターユニット２００内のサブＣＰＵ２０と通信を行うことにより、モニターユニット２００で使用されているモニター２４の形式（ＮＯＲＭＡＬ＜４：３＞ｏｒＷＩＤＥ＜１６：９＞）、モニターの解像度（ＶＧＡ、ＸＧＡ、ＱＶＧＡ、ＳＸＧＡ等）、モニターサイズ（１５インチ、１７インチ、２１インチ等）を、サブＣＰＵ２０から取得する。
【００３２】
そして、ＳＴＢ１００内のメインＣＰＵ１１は、それに接続されたモニターユニット２００内のモニター２４の仕様（モニターの形式、モニターの解像度、モニターのサイズ）に適した設定で映像信号処理を行うようにＳＣＡＮコンバータ９等の映像信号処理回路を制御する。したがって、ＳＴＢ１００から出力される映像信号を、それに接続されたモニターユニット２００内のモニター２４の仕様に合わせることができるので、ユーザはモニターの仕様に応じた設定を意識することなく、ＳＴＢ１００とモニターユニット２００とを接続することが可能となる。
【００３３】
なお、モニターユニット２００内のサブＣＰＵ２０からＳＴＢ１００内のメインＣＰＵ１１に、モニター表示状態（ＯＮ、ＯＦＦ、ＳＡＶＥモード等）を送るようにしてもよい。また、ＳＴＢ１００内のメインＣＰＵ１１からモニターユニット２００内のサブＣＰＵ２０に、ＳＴＢ１００側の電源負荷情報、モニターの映像調整内容（明るさ、コントラスト、カラー、ティント、白バランス等）、モニターの色（１６ｂｉｔ、２４ｂｉｔ、３２ｂｉｔなど）などを送るようにしてもよい。
【００３４】
上記実施例によれば、セットトップボックスとモニターユニットとの組合せの自由度を高めることができるようになる。また、この実施例によれば、セットトップボックスとモニターユニットとの接続が容易となる。
【図面の簡単な説明】
【００３５】
【図１】テレビジョン受像機の正面側を示す斜視図である。
【図２】テレビジョン受像機の側面図である。
【図３】テレビジョン受像機の構成を示すブロック図である。
【符号の説明】
【００３６】
２  デジタルユニット
４  チューナーＩＦ部
５  ＡＶ切替回路
６  Ｙ／Ｃ分離回路
７  Ｖｉｄｅｏデコーダ
８  Ｉ／Ｐ変換回路
９  ＳＣＡＮコンバータ
１０  イメージコントロール回路
１１  メインＣＰＵ
１２  Ａｕｄｉｏコントロール回路
１３  Ａｕｄｉｏアンプ回路
２０  サブＣＰＵ
２１  ドライバーコントロール
２２  Ｈドライバー
２３  Ｖドライバー
２４  フラットパネルディスプレイ（モニター）
１００  ＳＴＢ
１０１  コネクタ
２００  モニターユニット
２０１  コネクタ
【図１】
2005286403.tif 000003
【図２】
2005286403.tif 000004
【図３】
2005286403.tif 000005